(57)【要約】      （修正有）【課題】美容や健康の維持，増進や改善等の目的で使用される酸素浴機などの調圧型カプセル構造体において、使用者に対して音楽や音声等の音情報を提供する機能を、簡単な構造をもって且つカプセル内の内部空間の容積を減ずることなく、実現せしめ得る、新規な構造の調圧型カプセル構造体を提供する。【解決手段】入力される電気信号に対応した音響振動を発生する音響振動体を装置本体に対して振動変位可能に設けた音響振動発生装置を用い、該音響振動発生装置の該装置本体をカプセル状ハウジング１２の壁部２０の外面に対して固定手段で固定すると共に、該音響振動体を装置本体に対して付勢手段を介して弾性的に支持せしめて、該音響振動体を付勢手段によって振動変位方向で付勢してカプセル状ハウジング１２の壁部２０の外面に対して当接状態で押し付け保持せしめた調圧型カプセル構造体１０。【選択図】図１
0003144836.tif 000002
【実用新案登録請求の範囲】
【請求項１】
中空構造のカプセル状ハウジングの壁部に対して使用者が出入りする出入口が設けられていると共に、該出入口が開閉可能な出入扉で閉塞可能とされており、該出入扉による該出入口の閉塞状態下において使用者が入る内部空間が外部空間に対して実質的に密閉構造をもって画成される調圧型カプセル構造体において、
電気信号を入力することによって該電気信号に対応した音響振動を発生する音響振動体を装置本体に対して振動変位可能に設けた音響振動発生装置が用いられて、該音響振動発生装置の該装置本体が、前記カプセル状ハウジングの壁部の少なくとも一部に対して固定手段で固定されていると共に、該音響振動発生装置の該音響振動体が該装置本体に対して付勢手段を介して弾性的に支持されており、該固定手段によって該装置本体が該カプセル状ハウジングの壁部に対して固定された状態下で該音響振動体が該付勢手段によって振動変位方向で付勢されて該カプセル状ハウジングの壁部外面に対して当接状態で押し付けられていることを特徴とする調圧型カプセル構造体。
【請求項２】
前記カプセル状ハウジングの壁部が、使用者が横たわる長さで水平方向に筒状に延びる周壁部と、該周壁部の両端開口部を閉塞する二つの端壁部とによって構成されており、該周壁部に前記出入口が設けられていると共に、該二つの端壁部の少なくとも一方の中央部分に平板形状の当接領域が形成されており、該端壁部に対して前記音響振動発生装置が前記固定手段によって固定されていると共に、該端壁部の該当接領域に対して該音響振動発生装置の前記音響振動体が当接されている請求項１に記載の調圧型カプセル構造体。
【請求項３】
前記音響振動体が複数設けられており、それら音響振動体がそれぞれ前記カプセル状ハウジングの壁部に対して当接状態で押し付けられている請求項１又は２に記載の調圧型カプセル構造体。
【請求項４】
前記音響振動発生装置において、前記電気信号を音響振動に変換するエネルギー変換手段として圧電型又は磁歪型の歪素子が用いられている請求項１乃至３の何れか一項に記載の調圧型カプセル構造体。
【請求項５】
前記固定手段が磁力を利用した吸着固定手段によって構成されている請求項１乃至４の何れか一項に記載の調圧型カプセル構造体。
【請求項６】
前記カプセル状ハウジングの壁部に対して強磁性材からなる取付板が固着されている一方、前記音響振動発生装置の装置本体に対して永久磁石が固着されており、該永久磁石の該取付板に対する磁気吸引力によって該音響振動発生装置が該カプセル状ハウジングの壁部に対して着脱可能に固定されている請求項５に記載の調圧型カプセル構造体。
【請求項７】
前記音響振動発生装置が、前記固定手段によって前記カプセル状ハウジングの壁部に固定されるマス部材を備えており、このマス部材に対して前記音響振動体が振動変位可能に支持されている請求項１乃至６の何れか一項に記載の調圧型カプセル構造体。
【請求項８】
前記マス部材が前記カプセル状ハウジングの壁部に対して表面外方に所定距離を隔てて対向位置せしめられており、該マス部材の該カプセル状ハウジングの壁部に対する対向面上に前記音響振動発生装置が配設されて、該音響振動発生装置の前記音響振動体が前記付勢手段で該マス部材側から該カプセル状ハウジングの壁部に向かって付勢されて該カプセル状ハウジングの壁部に対して当接状態で押し付けられている請求項７に記載の調圧型カプセル構造体。
【請求項９】
前記マス部材に対して金属バネを介して支持部が取り付けられていると共に、該支持部に対して前記音響振動体がゴム弾性体を介して取り付けられており、それら金属バネとゴム弾性体とによって前記付勢手段が構成されて該音響振動体が該マス部材に対して弾性的に支持されて前記カプセル状ハウジングの壁部に向かって付勢されて該カプセル状ハウジングの壁部に対して当接状態で押し付けられている請求項７又は８に記載の調圧型カプセル構造体。
【請求項１０】
前記音響信号が、音楽情報と前記使用者に対する言語情報とを含む請求項１乃至９の何れか一項に記載の調圧型カプセル構造体。
【請求項１１】
前記カプセル状ハウジングの壁部において、前記音響振動発生装置の前記音響振動体が当接状態で押し付けられる加振領域が、他の壁部から別体形成されて振動伝達抑制部材を介してかかる他の壁部に連結されていることにより、該音響振動体によって及ぼされる音響振動によって該加振領域が他の壁部から独立的に加振されるようになっている請求項１乃至１０の何れか一項に記載の調圧型カプセル構造体。
【請求項１２】
前記カプセル状ハウジングの壁部が、その全体に亘って振動伝達されるように一体的な加振構造体とされている請求項１乃至１１の何れか一項に記載の調圧型カプセル構造体。
【請求項１３】
外部空気を圧縮することで圧力空気を成形する圧力空気生成手段が設けられていると共に、該圧力空気生成手段で生成された圧力空気を前記カプセル状ハウジングの内部空間に対して導く給排用管体が設けられており、更に、該カプセル状ハウジングの内部空間の圧力を調節する制御手段が設けられている請求項１乃至１２の何れか一項に記載の調圧型カプセル構造体。
【考案の詳細な説明】
【技術分野】
【０００１】
本考案は、美容や健康の維持，増進や改善等の目的で使用される酸素浴機などの調圧型カプセル構造体に関するものであり、特に、使用者に対して使用中に音楽や音声等の音情報を提供する機能を備えた、新規な構造の調圧型カプセル構造体に関するものである。
【背景技術】
【０００２】
従来から、美容や健康の維持，増進や改善等の効果を期待して、調圧型カプセル構造体の使用が提案されており、例えばエステサロンや治療院，リグザミネーションルーム等の各種場所への設置が検討されている。例えば、特開２００７−２０２９５号公報（特許文献１）等に記載のものがそれである。
【０００３】
かかる調圧型カプセル構造体は、動物（一般に人）が入ることが出来る内部空間を画成する中空構造のカプセル状ハウジングを備えており、このカプセル状ハウジングの壁部に設けられた出入口を通じて使用者が内部空間に出入りできるようになっている。そして、使用者が内部空間に入った状態で出入扉を閉じて出入口を閉塞させることにより、使用者が入った内部空間が外部空間に対して実質的に密閉構造をもって画成されるようになっている。かかる密閉状態下、内部空間の圧力を調節し、或いは必要に応じて酸素等のガス濃度を調節することによって目的とする適当な調圧空間を実現し、その雰囲気を使用者に所定時間提供することが出来るようになっている。
【０００４】
ところで、このような調圧型カプセル構造体においては、内部空間を外部空間から遮断して圧力やガス組成を調節するできるように、使用者が収容される内部空間が密閉構造とされている。そのために、使用中に内部の使用者に対して、外部から何等かの情報を提供することが難しい。また、内部空間は密閉された比較的に狭い領域であることから、そこに収容された使用者が不安感等を抱き、充分なリラックス効果が得られ難いおそれもある。
【０００５】
そして、これらの問題に対処するためには、調圧型カプセル構造体の内部空間にスピーカーを設置して音声情報を提供したり、音楽情報を提供したりすることが有効である。
【０００６】
ところが、調圧型カプセル構造体の狭い空間内にスピーカーを設置すると、更に内部空間が狭くなって使用性が悪くなる。超小形のスピーカーを内部空間に設置することも考えられるが、音質の悪い超小形スピーカーでは、音声情報の提供だけならまだしも、音楽鑑賞には到底耐え得ず、使用者に対するリラックス効果は望み難い。
【０００７】
また、調圧型カプセル構造体の壁部を貫通させてスピーカーコードやスピーカーボックス等を組み付けると、内部空間の密閉性やその信頼性或いは耐久性が低下してしまうことも懸念されることから、容易ではないのである。
【０００８】
【特許文献１】特開２００７−２０２９５号公報
【考案の開示】
【考案が解決しようとする課題】
【０００９】
ここにおいて、本考案は上述の如き事情を背景として為されたものであって、その解決課題とするところは、使用者に対して使用中に音楽や音声等の音情報を提供する機能を、内部空間の広さを何等制限することなく且つ内部空間の密閉構造を損なうような設置用貫通孔等も設ける必要なく、効果的に実現せしめ得る、新規な構造の調圧型カプセル構造体を提供することにある。
【課題を解決するための手段】
【００１０】
以下、このような課題を解決するために為された本考案の態様を記載する。なお、以下に記載の各態様において採用される構成要素は、可能な限り任意の組み合わせで採用可能である。また、本考案の態様乃至は技術的特徴は、以下に記載のものに限定されることなく、明細書全体および図面に記載され、或いはそれらの記載から当業者が把握することの出来る考案思想に基づいて認識されるものであることが理解されるべきである。
【００１１】
請求項１に記載の考案の特徴とするところは、中空構造のカプセル状ハウジングの壁部に対して使用者が出入りする出入口が設けられていると共に、該出入口が開閉可能な出入扉で閉塞可能とされており、該出入扉による該出入口の閉塞状態下において使用者が入る内部空間が外部空間に対して実質的に密閉構造をもって画成される調圧型カプセル構造体において、電気信号を入力することによって該電気信号に対応した音響振動を発生する音響振動体を装置本体に対して振動変位可能に設けた音響振動発生装置が用いられて、該音響振動発生装置の該装置本体が、前記カプセル状ハウジングの壁部の少なくとも一部に対して固定手段で固定されていると共に、該音響振動発生装置の該音響振動体が該装置本体に対して付勢手段を介して弾性的に支持されており、該固定手段によって該装置本体が該カプセル状ハウジングの壁部に対して固定された状態下で該音響振動体が該付勢手段によって振動変位方向で付勢されて該カプセル状ハウジングの壁部外面に対して当接状態で押し付けられている調圧型カプセル構造体にある。
【００１２】
かかる請求項１記載の考案に係る調圧型カプセル構造体においては、カプセル状ハウジングの壁部が巧く利用され、該壁部が音波発生源として構成されることとなる。即ち、密閉状態の内部空間に音を発生させるには、かかる内部空間に存在する圧縮空気を振動させて音波を使用者に伝達することが必要となる。ここにおいて、本考案では、カプセル状ハウジングの壁部を、ダイナミックスピーカーのコーン紙の如く空気に音波振動を与える振動体として利用したのであり、これによって、内部空間にスピーカー等を配設することなく、内部空間にいる使用者に対して音波を伝達させることを可能と為し得たのである。
【００１３】
従って、本考案に係る調圧型カプセル構造体においては、カプセル状ハウジングの壁部の外部空間側の表面に対して音響振動発生装置を装着することで、カプセル状ハウジングの内部空間の空気を振動させて使用者に音を伝達することから、カプセル状ハウジングの壁部を貫通してリード線等の部材を配設する必要がない。それ故、カプセル状ハウジングに対する大幅な構造変更や加工等を必要とすることなく、使用者に対して音情報を提供できる機能を付加することが出来るのであり、それによって内部空間の気密性や信頼性，耐久性等も高度に維持され得ると共に、既存の各種の調圧型カプセル構造体に対しても容易に本考案を適用可能となる。
【００１４】
特に、本考案に係る調圧型カプセル構造体においては、音響振動発生装置の装置本体をカプセル状ハウジングの壁部に対して固定して取り付けたうえで、該装置本体に対して付勢手段を介して音響振動体を支持せしめて該音響振動体をカプセル状ハウジングの壁部に対して弾性的に付勢して押し付け状態で当接させたことにより、かかる音響振動体のカプセル状ハウジング壁部に対する当接状態で安定して保持される。これにより、音響振動体の音振動がカプセル状ハウジング壁部に対して安定して且つ効率的に伝達されることとなり、内部空間において目的とする音場が安定して発現され得るのである。
【００１５】
請求項２に記載の本考案の特徴とするところは、請求項１記載の調圧型カプセル構造体において、更に、前記カプセル状ハウジングの壁部が、使用者が横たわる長さで水平方向に筒状に延びる周壁部と、該周壁部の両端開口部を閉塞する二つの端壁部とによって構成されており、該周壁部に前記出入口が設けられていると共に、該二つの端壁部の少なくとも一方の中央部分に平板形状の当接領域が形成されており、該端壁部に対して前記音響振動発生装置が前記固定手段によって固定されていると共に、該端壁部の該当接領域に対して該音響振動発生装置の前記音響振動体が当接されていることにある。
【００１６】
この請求項２に従う構造とされた調圧型カプセル構造体においては、内部空間の大きさや、カプセル状ハウジングの製造工程等に悪影響を与えることなく、音響振動発生装置の装着スペースを効率的に確保することが出来る。特に、音響振動体の当接領域を平面形状とできることから、音響振動体の当接状態を一層容易に且つ安定して得ることが可能となる。
【００１７】
請求項３に記載の本考案の特徴とするところは、請求項１又は２に記載の調圧型カプセル構造体において、前記音響振動体が複数設けられており、それら音響振動体がそれぞれ前記カプセル状ハウジングの壁部に対して当接状態で押し付けられていることにある。
【００１８】
この請求項３に従う構造とされた調圧型カプセル構造体においては、複数の音響振動体を活用することにより、例えば複数の音響振動体によりカプセル状ハウジングの複数の領域を同じ音響振動で加振してより大きな音を発したり、複数の音響振動体によりカプセル状ハウジングの複数の領域を各異なる音響振動体で加振して臨場感ある音を発したりすること等も可能である。なお、それら複数の音響振動体で加振される領域を、カプセル状ハウジングにおいて互いに振動が相互伝達され難い構造体にて振動モード上で相互独立して形成することにより、音振動の相互緩衝を避けたり、共振周波数を異ならせて低音域や中音域（音声等）或いは高温域などを各別に設定された加振領域においてより効率的に加振させて内部空間に音情報を伝達すること等も可能である。
【００１９】
請求項４に記載の本考案の特徴とするところは、請求項１乃至３の何れか一項に記載の調圧型カプセル構造体であって、前記音響振動発生装置において、前記電気信号を音響振動に変換するエネルギー変換手段として圧電型又は磁歪型の歪素子が用いられていることにある。
【００２０】
この請求項４に従う構造とされた調圧型カプセル構造体においては、音響信号に対して高精度に対応して加振される音響振動体が、コンパクトに実現可能となる。
【００２１】
請求項５に記載の本考案の特徴とするところは、請求項１乃至４の何れか一項に記載の調圧型カプセル構造体であって、前記固定手段が磁力を利用した吸着固定手段によって構成されていることにある。
【００２２】
この請求項５に従う構造とされた調圧型カプセル構造体においては、調圧型カプセル構造体の壁部の表面に対して、固定用のねじ穴等の貫通孔を穿つことなく、密閉構造を安定して確保しつつ、音響振動発生装置を強固に固定することが出来る。しかも、音響振動発生装置の着脱も簡単に行なうことが可能となる。
【００２３】
請求項６に記載の本考案の特徴とするところは、請求項５に記載の調圧型カプセル構造体であって、前記カプセル状ハウジングの壁部に対して強磁性材からなる取付板が固着されている一方、前記音響振動発生装置の装置本体に対して永久磁石が固着されており、該永久磁石の該取付板に対する磁気吸引力によって該音響振動発生装置が該カプセル状ハウジングの壁部に対して着脱可能に固定されていることにある。
【００２４】
この請求項６に従う構造とされた調圧型カプセル構造体においては、カプセル状ハウジングの材質に限定されることなく、音響振動発生装置を磁力によって固定することが可能となる。これにより、各種材質からなるカプセル状ハウジングを備えた既存の調圧型カプセル構造体に対して、本考案を、より簡単に適用することが可能となる。なお、より好適には、音響振動発生装置の装置本体の複数箇所に永久磁石を固着して、装置本体をカプセル状ハウジングに対して複数箇所で磁気吸着固定するようにされる。また、取付板は、カプセル状ハウジングの壁部における表面に限らず、裏面に密着状態等で接着や溶接等の各種固定手段で固着することが出来る。
【００２５】
請求項７に記載の本考案の特徴とするところは、請求項１乃至６の何れか一項に記載の調圧型カプセル構造体であって、前記音響振動発生装置が、前記固定手段によって前記カプセル状ハウジングの壁部に固定されるマス部材を備えており、このマス部材に対して前記音響振動体が振動変位可能に支持されていることにある。
【００２６】
この請求項７に従う構造とされた調圧型カプセル構造体においては、マス部材に設定された質量に基づく静的位置の慣性力を利用して、音響振動体を安定して変位可能に支持せしめることが出来る。特に、装置本体の共鳴等による不安定な振動状態の発生が防止されて、より精度の高い音振動をカプセル状ハウジングの壁部に及ぼすことが可能となる。
【００２７】
請求項８に記載の本考案の特徴とするところは、請求項７に記載の調圧型カプセル構造体であって、前記マス部材が前記カプセル状ハウジングの壁部に対して表面外方に所定距離を隔てて対向位置せしめられており、該マス部材の該カプセル状ハウジングの壁部に対する対向面上に前記音響振動発生装置が配設されて、該音響振動発生装置の前記音響振動体が前記付勢手段で該マス部材側から該カプセル状ハウジングの壁部に向かって付勢されて該カプセル状ハウジングの壁部に対して当接状態で押し付けられていることにある。
【００２８】
この請求項８に従う構造とされた調圧型カプセル構造体においては、マス部材の質量の慣性力を利用した音響振動体の安定した支持構造が一層効果的に実現可能となる。
【００２９】
請求項９に記載の本考案の特徴とするところは、請求項７又は８に記載の調圧型カプセル構造体であって、前記マス部材に対して金属バネを介して支持部が取り付けられていると共に、該支持部に対して前記音響振動体がゴム弾性体を介して取り付けられており、それら金属バネとゴム弾性体とによって前記付勢手段が構成されて該音響振動体が該マス部材に対して弾性的に支持されて前記カプセル状ハウジングの壁部に向かって付勢されて該カプセル状ハウジングの壁部に対して当接状態で押し付けられていることにある。
【００３０】
この請求項９に従う構造とされた調圧型カプセル構造体においては、音響振動体の振動が装置本体等に伝達されて不必要に共振等したり振動エネルギーが拡散等したりすることを、ゴム弾性体の弾性変形に基づいて抑制することが出来る。しかも、ゴム弾性体の弾性変形量や線形領域（変形許容量）が金属バネで補われることから、音響振動体をカプセル状ハウジングの表面に対して一層安定して押し付けて当接状態に保持せしめることが可能となる。
【００３１】
請求項１０に記載の本考案の特徴とするところは、請求項１乃至９の何れか一項に記載の調圧型カプセル構造体であって、前記音響信号が、音楽情報と前記使用者に対する言語情報とを含むことにある。
【００３２】
この請求項１０に従う構造とされた調圧型カプセル構造体においては、使用者が調圧型カプセル構造体を使用中に音楽をきいてリラックスできると共に、外部から必要な情報を使用者に言語情報（音声）で伝達することが可能となり、調圧型カプセル構造体の利便性の向上と共に、リグザミネーション等の効果向上も図られ得る。
【００３３】
請求項１１に記載の本考案の特徴とするところは、請求項１乃至１０の何れか一項に記載の調圧型カプセル構造体であって、前記カプセル状ハウジングの壁部において、前記音響振動発生装置の前記音響振動体が当接状態で押し付けられる加振領域が、他の壁部から別体形成されて振動伝達抑制部材を介してかかる他の壁部に連結されていることにより、該音響振動体によって及ぼされる音響振動によって該加振領域が他の壁部から独立的に加振されるようになっていることにある。
【００３４】
この請求項１１に従う構造とされた調圧型カプセル構造体においては、特定の部分だけを音響振動体の加振による振動体（音波発生面）とすることにより、例えば特定周波数域でのカプセル壁部の共振現象をチューニングしたりして、発生音の調節等も容易に行なうことが可能となる。また、加振領域の複数を相互に独立的加振状態で設けることにより、各加振領域において相互に異なる周波数振動特性を設定し、低音発生用加振領域や中音用加振領域、高音用加振領域などを、分割して形成することも可能となる。更にまた、２チャンネルや、それ以上のチャンネルでのステレオ音楽など、複数の異なる加振領域において異なる振動状態を付与せしめて、使用者に対して臨場感の向上を図ることも可能である。
【００３５】
請求項１２に記載の本考案の特徴とするところは、請求項１乃至１０の何れか一項に記載の調圧型カプセル構造体であって、前記カプセル状ハウジングの壁部が、その全体に亘って振動伝達されるように一体的な加振構造体とされていることにある。
【００３６】
この請求項１２に従う構造とされた調圧型カプセル構造体においては、使用者がはいる内部空間の周囲を囲む壁面の広い領域、例えば全領域を一つの音波発生面とすることも可能であり、それによって、内部空間における特定位置での音の偏りを軽減することができると共に、使用者が音に包まれるような空間を形成することも可能となる。
【００３７】
請求項１３に記載の本考案の特徴とするところは、請求項１乃至１２の何れか一項に記載の調圧型カプセル構造体であって、外部空気を圧縮することで圧力空気を成形する圧力空気生成手段が設けられていると共に、該圧力空気生成手段で生成された圧力空気を前記カプセル状ハウジングの内部空間に対して導く給排用管体が設けられており、更に、該カプセル状ハウジングの内部空間の圧力を調節する制御手段が設けられていることにある。
【００３８】
この請求項１３に従う構造とされた調圧型カプセル構造体においては、所定の圧力の酸素含有圧陸空気を内部空間に満たすことにより、エステサロン等で提供される酸素浴機などが有利に実現可能となる。
【考案の効果】
【００３９】
上述の説明から明らかなように、本考案に従う構造とされた調圧型カプセル構造体においては、カプセル状ハウジングの内部空間を狭めることなく、またカプセル状ハウジングの周壁部に特別な部品を貫通配置させる必要もなく、内部空間に滞在して使用中の使用者に対して音楽や音声等の音情報を提供する機能を、簡単な構造をもって効果的に付与せしめることが可能となるのである。
【考案を実施するための最良の形態】
【００４０】
以下、本考案の一実施形態を、図面を参照しつつ詳細に説明する。
【００４１】
先ず、図１〜５には、本考案の一実施形態としての調圧型カプセル構造体としての酸素浴機１０が示されている。図１は正面図であり、図２は背面図であり、図３は右側面図であり、図４は左側面図であり、図５は平面図である。
【００４２】
かかる酸素浴機１０は、中空構造のカプセル状ハウジング１２を備えており、このカプセル状ハウジング１２の内部空間が外部空間からの密閉領域とされるようになっている。また、所定の圧力や濃度の酸素含有圧力空気を生成する圧力空気生成装置と、その制御装置が内蔵された別体ハウジング１４を備えている。なお、かかる別体ハウジング１４の圧力空気生成装置は、カプセル状ハウジング１２に対して、空気等の給排用管体や電気配線用の管体からなる複数本の接続管体１６によって接続されている。そして、制御装置による制御下で作動せしめられる圧力空気生成装置によって所定圧力に圧縮された空気を接続管体１６を通じてカプセル状ハウジング１２の内部空間に供給することにより、カプセル状ハウジング１２の内部空間の圧力を所定値に設定保持することが出来るようになっている。また、必要に応じて、図示しないガスボンベが装着され、制御装置によるコントロール下で酸素等の特定ガスの濃度が調節されることにより、カプセル状ハウジング１２の内部空間におけるガス成分や濃度の調節が実施可能とされる。
【００４３】
なお、図示されているように、カプセル状ハウジング１２や別体ハウジング１４の各外面には、使用者や操作者の使用の便を向上させる目的で、使用者や操作者が把持することの出来る握り棒１３ａ，１３ｂが設けられている。また、別体ハウジング１４のテーブル上には、内部に収納された制御装置をコントロールしたり、状態を確認等するために操作パネル１５が装備されており、受話器１７も設置されている。なお、この受話器１７は、外部回線や内部回線に接続されて適当に使用可能であり、特に本実施形態では、後述する音響振動発生装置に対して、必要に応じて適当なアンプを介して接続されることにより、カプセル状ハウジング１２の内部空間にいる使用者に音声信号を発することができるようにされていても良い。
【００４４】
上記カプセル状ハウジング１２は、例えば直径が１００ｃｍ程度の円筒形状を有する周壁部１８に対して、その両端開口部を気密に覆う左端壁部２０と右端壁部２２が固着されることによって形成されている。なお、かかるカプセル状ハウジング１２は、その下部において基台２１が固着されており、この基台２１によって水平状態で安定して支持されている。また、周壁部１８には、上側の四半周部分において、左端壁部２０側から軸方向の略半分の長さに亘る大きさで開口する出入口２４が形成されている。そして、この出入口２４には、開閉扉２６が開閉可能に組み付けられている。
【００４５】
そして、この出入口２４を通じて、使用者が、カプセル状ハウジング１２の内部空間に出入りできるようになっている。なお、開閉扉２６を閉じた状態での図１中のＶＩ−ＶＩ横断面を示す図６と、その開閉扉２６を開いた横断面を示す図７に表されているように、カプセル状ハウジング１２の周壁部１８には、出入口２４の上下開口縁部に沿って水平方向に延びるガイドレール２８，２８が周壁部１８から少し内方に控えた位置に設置されており、開閉扉２６に装着された走行ローラがこれら上下のガイドレール２８，２８に案内されて走行可能となっている。そして、かかる走行により、開閉扉２６が、出入口２４の閉位置から開位置まで水平方向に往復移動せしめられるようになっている。
【００４６】
なお、本実施形態では、開閉扉２６を閉位置から開方向に走行させる際には、開閉扉２６の上端縁部が所定量だけカプセル状ハウジング１２の内部空間側に移動せしめられるようになっており、その後に開方向に走行する開閉扉２６は、カプセル状ハウジングの周壁部１８の内面に沿って走行して、開位置では周壁部１８の裏側に隠れるように収納されるようになっている。この際に、開閉扉２６の上端縁部をカプセル状ハウジング１２の内部空間側に控え移動させる手段として、本実施形態では、ソレノイド等のアクチュエータ３０が装備されている。
【００４７】
また、本実施形態では、開閉扉２６の開閉移動操作は、開閉扉の閉じ方向の移動側先端部外面に突設された把手３２を把持して、人力で行なわれるようになっているが、この開閉扉２６の開閉移動を電動モータ等の動力手段で行なうようにしても良い。更に、本実施形態では、開閉扉２６が、有色透明又は無色透明の合成樹脂材やガラス材で形成されており、外部から内部および内部から外部を視認することができるようになっている。
【００４８】
そして、開閉扉２６を開位置にして下方した出入口２４から使用者がカプセル状ハウジング１２の内部空間に入り込んだ後、開閉扉２６を閉位置にして出入口２４を気密に閉塞せしめることにより、使用者が入った内部空間が外部空間に対して実質的に密閉される。そして、この密閉された内部空間に対して、前述の制御装置による制御下で作動せしめられる圧力空気生成装置によって所定圧力に圧縮された空気を接続管体１６を通じて供給せしめて、カプセル状ハウジング１２の内部空間の圧力を所定値に設定保持することで、使用者をかかる高圧空間に晒すことができるようになっている。
【００４９】
上述の如き構造とされたカプセル状ハウジング１２には、その左端壁部２０に対して音響振動発生装置４０が装着されている。なお、酸素浴機１０の全体を示す図１〜７中では、音響振動発生装置の符号「４０」を付していないが、カプセル状ハウジング１２における左端壁部２０の中央外面に貼り付けられるようにして固着されて突出状態で装着されているものが、音響振動発生装置４０である。
【００５０】
この音響振動発生装置４０は、図８〜１１に示されている如き単体構造を有している。なお、これらの音響振動発生装置４０の各図において、図８は正面図、図９は平面図、図１０は背面図、図１１は右側面図であり、底面図は図９と対称に現れると共に、左側面図は図１１と対称に現れる。
【００５１】
これら図８〜１１に示されているように、本実施形態の音響振動発生装置４０は、矩形枠体形状の矩形周壁部４２に対して、その一方の開口部側を覆蓋するようにマス部材としての矩形蓋部４４が固定されることによって構成された筐体を備えている。なお、矩形蓋部４４の内面は略平面とされている一方、矩形蓋部４４の外面には長さ方向に平行に延びる複数のプレート状の冷却フィンが一体的に突出形成されている。この冷却フィンは必ずしも必要ではないが、電気エネルギーによる音響振動発生装置の発熱を効率的に放射してコンパクトなサイズを実現するためには有効である。
【００５２】
また、かかる筐体には、矩形周壁部４２の長手方向両端部分から左右両側に突出するようにしてコ字状の一対の把手３２，３２が固設されている。これらの把手３２，３２を把持することで、音響振動発生装置４０を容易に取り扱うことができるようになっている。なお、図１２には、筐体の矩形蓋部４４を取り外した状態での正面側が斜視図で表されており、図１３には、筐体の背面側が斜視図で表されており、図１４には、筐体の矩形周壁部４２を取り外した状態での背面側が斜視図で表されている。
【００５３】
かかる図１３，１４にも示されているように、筐体には、矩形周壁部４２の長手方向両端部分に位置して、左右一対の永久磁石４７，４７が固定されて取り付けられている。これらの永久磁石４７，４７は、筐体の背面側の開口部から外方に最も突出する吸着面を備えており、これらの吸着面において永久磁石の磁極が形成されている。要するに、かかる永久磁石４７，４７で磁気吸引力を発揮する固定手段が構成されているのであり、これらの永久磁石４７，４７の表面が、前述のカプセル状ハウジング１２の左端壁部２０の表面に密着状態で重ね合わされた状態で、音響振動発生装置４０が左端壁部２０の外面に吸着固定されるようになっている。
【００５４】
さらに、このように内方に向かって開口せしめられた中空構造の筐体の中空内部には、左右両側にそれぞれ位置して一対の振動発生機構４８，４８が収容状態で組み込まれている。また、これら一対の振動発生機構４８，４８の間に位置して、筐体の中空内部の長さ方向中央部分には、各振動発生機構４８，４８に対して音声振動を発生させる給電制御ユニットが収容配置されてカバーで覆われている。
【００５５】
かかる振動発生機構４８は、その単体での詳細構造が図１５〜１９に示されている。即ち、矩形の薄肉帯板形状の板ばね材を門形に成形して得られた、平坦な天板部と左右一対の脚部とを有する門形板ばね５２を備えており、この門形板ばね５２の天板部に対して、矩形ブロック状のゴム弾性板５４が重ね合わされて装着されている。そして、これら門形板ばね５２の天板部とゴム弾性板５４の各中央部を貫通して装着孔が形成されており、かかる装着孔に挿通された状態で振動ロッド６２が取り付けられている。
【００５６】
この振動ロッド６２は、金属製のストレートな棒形状を有しており、一対の固定ナット５６，５６によって、門形板ばね５２の天板部とゴム弾性板５４の重ね合わせ部分に対して締付固定されている。なお、ゴム弾性板５４の外面には金属製の押圧プレート５８が重ね合わされており、固定ナット５６，５６の締付固定力が、門形板ばね５２の天板部と押圧プレート５８によってゴム弾性板５４の全面に及ぼされるようになっている。
【００５７】
さらに、振動ロッド６２は、門形板ばね５２に対する固定部分から筐体の背面側に向かって突出せしめられており、その突出方向の軸方向中間部分には、音響振動体としての音響振動板５０が固定的に取り付けられている。
【００５８】
この音響振動板５０は、全体として円板形状を有しており、中央に貫設された装着孔に振動ロッド６２が挿通されて、一対の固定ナット５７，５７で締めつけられることによって、かかる音響振動板５０が振動ロッド６２に対して固定されている。なお、図１９中、符号６１はワッシャである。
【００５９】
かかる音響振動板５０は、電気信号を入力することによって該電気信号に対応した音響振動を発生するものであり、例えば特開２００６−３５２４６４号公報や、実登３０３７１６７号公報，特開２０００−２０９６９７号公報，特開２００７−２０８８８３号公報，特開２００４−３０６００４号公報，特開平１０−１４５８９２号公報，特開２００７−１５８９１１号公報等に記載されて公知の圧電素子や電歪素子等を利用したものが、何れも採用可能である。特に本実施形態では、特開２０００−２０９６９７号公報にも記載されているように略円板形状を有すると共に、外周縁部に質量の大きい環状マス５９が設けられた構造をもって音響振動板５０が構成されている。この環状マス５９の存在により、音響振動板５０に生ぜしめられる音響振動が、効率的に振動ロッド６２に伝達されるようになっている。
【００６０】
そして、この電歪素子等で形成された音響振動板５０は、リード線６０を通じて、目的とする音響に対応する電圧変化を有する駆動電圧を印加することにより、振動ロッド６２の軸方向に向かう音響振動を発することとなる。
【００６１】
さらに、この音響振動板５０が装着された振動ロッド６２には、門形板ばね５２に対する固定部分から筐体の背面側に向かって突出せしめられた突出先端部に対して、加振当接子６３が固着されている。この加振当接子６３は、振動ロッド６２の先端部に対して圧入されることにより、或いはまた大径化された駆動ロッド６２の頭部と固定ナット５７との間で締付固定されること等によって、駆動ロッド６２に対して一体的に固着されており、振動ロッド６２と一体的に加振されるようになっている。特に本実施形態では、加振当接子６３が、振動ロッド６２の先端側に向かって拡径するテーパ形状とされており、その拡開先端面が、振動ロッド６２の軸直角方向に広がる平坦な円形当接面とされている。
【００６２】
このような構造とされた振動発生機構４８は、門形板ばね５２の両側脚部の下端部がそれぞれ筐体の矩形蓋部４４の内面に対して重ね合わされてボルトや溶接等で固着されることによって、筐体内に収容状態で組み付けられている。そして、かかる組付状態下、振動発生機構４８の振動ロッド６２が、筐体の深さ方向に延びており、筐体の開口部に面して外方に向かって配設されている。
【００６３】
そして、かかる音響振動発生装置４０は、例えば図２０に示されているように、また図１〜５にも示されているように、筐体の矩形蓋部４４を外方に向けて、筐体の開口部をカプセル状ハウジング１２の左端壁部２０の外面に重ね合わせた状態で、取り付けられている。この取り付けは、筐体の左右両側に位置して外面に露出配置された一対の永久磁石４７，４７の磁気吸引力によって左端壁部２０に固着される。
【００６４】
なお、本実施形態では、図２０に示されているように、左端壁部２０の内面に対して鉄等の強磁性材からなる吸着プレート６６が密着状態で重ね合わされて溶接や接着等で固着されている。これにより、たとえ左端壁部２０が非磁性材料で形成されていても、振動発生機構４８の永久磁石４７，４７の磁力が、左端壁部２０を介して、吸着プレート６６に及ぼされることにより、音響振動発生装置４０を左端壁部２０の表面に対して磁気吸着力で固定することが出来るようになっている。なお、図２０に示された音響振動発生装置４０は、振動ロッド６２を支持する付勢手段として、前記門形板ばね５２に変えて波板状の金属板ばね６４が採用されているが、基本的な構造において相違はない。
【００６５】
而して、かくの如き音響振動発生装置４０のカプセル状ハウジング１２への装着状態下、音信号に対応した音信号を入力せしめて、かかる音信号に対応した電気信号をリード線６０を通じて振動発生機構４８に給電せしめて音響振動板５０を加振変形させることにより、振動ロッド６２を介して加振当接子６３が加振駆動されることとなる。ここにおいて、かかる加振当接子６３は、カプセル状ハウジング１２の左端壁部２０に対して当接されており、門形板ばね５２とゴム弾性板５４の付勢力によって押し付けられて当接状態に保持されるようになっている。それ故、加振当接子６３の加振力が左端壁部２０に及ぼされ、左端壁部２０が加振されることによって、左端壁部２０が振動プレートとなって、音場としてのカプセル状ハウジング１２の内部空間に対して音としての空気振動が及ぼされる。その結果、かかる内部空間にいる使用者において、空気振動としての音を聴取することが出来るのである。
【００６６】
なお、加振当接子６３が加振駆動される左端壁部２０は、周壁部１８や右端壁部２２と一体的な振動体を構成して全体が一体的な加振体として作用するようになっていても良い。それとは別に、例えば、かかる左端壁部２０を、周壁部１８から振動伝達経路を独立化させて構成することも可能であり、左端壁部２０だけを振動体として機能させるようにしても良い。
【００６７】
特に本実施形態では、左端壁部２０の中央で且つ平坦面をもって、加振当接子６３の当接面が構成されていることから、当接状態が容易に且つ安定して維持されると共に、加振当接子６３によって左端壁部２０の全体を効率的に加振させて内部空間に音を効率的に発生伝達させることが可能となる。
【００６８】
以上、本考案の実施形態について詳述してきたが、本考案はかかる具体的な記載によって限定的に解釈されるものでない。例えば、左端壁部２０に加えて或いは代えて、右端壁部２２や周壁部１８の外面に対して音響振動発生装置４０の加振当接子６３を当接させるようにしても良い。
【００６９】
また、図２０に示された強磁性材からなる吸着プレート６６を採用する代わりに、カプセル状ハウジング１２における音響振動発生装置４０の装着部位を強磁性材で形成しても良い。また、音響振動発生装置４０を、磁力以外のボルトやリベット，溶接，接着等でカプセル状ハウジング１２に対して固着することも可能である。
【００７０】
その他、一々列挙はしないが、本考案は、当業者の知識に基づいて種々なる変更，修正，改良等を加えた態様において実施され得るものであり、また、そのような実施態様が、本考案の趣旨を逸脱しない限り、何れも、本考案の範囲内に含まれるものであることは、言うまでもない。
【図面の簡単な説明】
【００７１】
【図１】本考案の一実施形態としての調圧型カプセル構造体としての酸素浴機を示す正面図である。
【図２】図１に示された酸素浴機の背面図である。
【図３】図１に示された酸素浴機の右側面図である。
【図４】図１に示された酸素浴機の左側面図である。
【図５】図１に示された酸素浴機の平面図である。
【図６】図１におけるＶＩ−ＶＩ断面図である。
【図７】図６において開閉扉を開状態とした別態様図である。
【図８】図１に示された酸素浴機に用いられている音響振動発生装置を示す正面図である。
【図９】図８に示された音響振動発生装置の平面図である。
【図１０】図８に示された音響振動発生装置の背面図である。
【図１１】図８に示された音響振動発生装置の右側面図である。
【図１２】図８に示された音響振動発生装置において筐体の矩形蓋部を取り外した状態での正面側斜視図である。
【図１３】図８に示された音響振動発生装置における背面側斜視図である。
【図１４】図８に示された音響振動発生装置において筐体の矩形周壁部を取り外した状態での背面側斜視図である。
【図１５】図８に示された音響振動発生装置を構成する振動発生機構を単体で示す平面図である。
【図１６】図１５に示された振動発生機構の側面図である。
【図１７】図１５に示された振動発生機構の平面側斜視図である。
【図１８】図１５に示された振動発生機構の背面側斜視図である。
【図１９】図１５に示された振動発生機構の要部断面説明図である。
【図２０】図８に示された音響振動発生装置のカプセル状ハウジングに対する固着構造を説明するための断面説明図である。
【符号の説明】
【００７２】
１０  酸素浴機
１２  カプセル状ハウジング
１８  周壁部
２０  左端壁部
２２  右端壁部
２４  出入口
２６  開閉扉
４０  音響振動発生装置
４７  永久磁石
４８  振動発生機構
５０  音響振動板
５２  門形板ばね
５４  ゴム弾性板
６２  振動ロッド
６３  加振当接子
６６  強磁性プレート
【図１】
0003144836.tif 000003
【図２】
0003144836.tif 000004
【図３】
0003144836.tif 000005
【図４】
0003144836.tif 000006
【図５】
0003144836.tif 000007
【図６】
0003144836.tif 000008
【図７】
0003144836.tif 000009
【図８】
0003144836.tif 000010
【図９】
0003144836.tif 000011
【図１０】
0003144836.tif 000012
【図１１】
0003144836.tif 000013
【図１２】
0003144836.tif 000014
【図１３】
0003144836.tif 000015
【図１４】
0003144836.tif 000016
【図１５】
0003144836.tif 000017
【図１６】
0003144836.tif 000018
【図１７】
0003144836.tif 000019
【図１８】
0003144836.tif 000020
【図１９】
0003144836.tif 000021
【図２０】
0003144836.tif 000022